(57)【特許請求の範囲】
【請求項１】
ヒートポンプサイクル（１０）を構成する構成機器を筐体（１６）内に収容して構成されたヒートポンプサイクル用の室外機であって、
前記構成機器として、少なくとも低圧冷媒を蒸発させる蒸発器として機能する熱交換器（１４）、および、前記熱交換器（１４）にて前記低圧冷媒と熱交換する外気を送風する送風ファン（１５）が含まれており、
前記筐体（１６）の側面には、前記筐体（１６）の内外を貫通して、前記送風ファン（１５）によって送風される外気が流通する開口穴（１６ｃ）が形成されており、
前記開口穴（１６ｃ）は前記外気の流通を許容する網状部（１８ｂ）を有するカバー（１８）で覆われており、
前記網状部（１８ｂ）は、前記開口穴（１６ｃ）の外側に前記外気の流れ方向から見たときに前記開口穴（１６ｃ）と重合するように設けられており、
前記開口穴（１６ｃ）の上方側から下方側へ向かって垂れ落ちる水が、前記開口穴（１６ｃ）を介して、前記筐体（１６）の内部へ侵入してしまうことを抑制する水侵入抑制部材（３１）を備え、
前記開口穴（１６ｃ）および前記網状部（１８ｂ）は円形状であり、
前記水侵入抑制部材（３１）は、前記カバー（１８）に一体的に成形されて前記円形状の網状部（１８ｂ）の上方側半分の外周に沿って設けられ、
前記水侵入抑制部材（３１）は、下方側へ向かって突出する凸部を有する形状に形成されていることを特徴とするヒートポンプサイクル用の室外機。
【請求項２】
前記水侵入抑制部材（３１）は、樹脂にて前記カバー（１８）に一体的に成形されていることを特徴とする請求項１に記載のヒートポンプサイクル用の室外機。
【発明の詳細な説明】
【技術分野】
【０００１】
本発明は、ヒートポンプサイクルの少なくとも一部の構成機器を筐体内に収容して構成されたヒートポンプサイクル用の室外機に関する。
【背景技術】
【０００２】
従来、空調装置等のようにヒートポンプサイクル（蒸気圧縮式冷凍サイクル）を用いて熱交換対象流体の温度を調整する冷凍サイクル装置として、ヒートポンプサイクルを構成する構成機器のうち一部の構成機器を筐体内に収容して構成された室外機、および、別の構成機器を別の筐体内に収容して構成された室内機を有するものが知られている。
【０００３】
例えば、特許文献１、２には、ヒートポンプサイクルにおいて冷媒を圧縮して吐出する圧縮機、圧縮機から吐出された高圧冷媒を外気と熱交換させて放熱させる凝縮器、この凝縮器にて冷媒と熱交換する外気を送風する送風ファン等を筐体内に収容したヒートポンプサイクル用の室外機が開示されている。
【０００４】
この種の室外機は室外に配置されるため、雨水や雪解け水等が、筐体に設けられた外気流通口等を介して、筐体内に侵入してしまうことがある。これに対して、特許文献１、２の室外機では、圧縮機等の防水性が要求される構成機器を覆うカバーを筐体内に設けることによって、防水性が要求される構成機器を保護している。
【先行技術文献】
【特許文献】
【０００５】
【特許文献１】特開２００６−２９８５号公報
【特許文献２】特開２００６−５２８８１号公報
【発明の概要】
【発明が解決しようとする課題】
【０００６】
ところで、ヒートポンプ式給湯機や暖房装置等に適用される冷凍サイクル装置では、外気から吸熱した熱を給湯水や室内送風空気へ放熱することによって、給湯水や室内送風空気を加熱している。従って、ヒートポンプ式給湯機等に用いられる冷凍サイクル装置の室外機の筐体内には、少なくともヒートポンプサイクルにおいて低圧冷媒を蒸発させる蒸発器、この蒸発器にて冷媒と熱交換する外気を送風する送風ファン等が収容される。
【０００７】
さらに、ヒートポンプ式給湯機等に適用される冷凍サイクル装置では、外気から熱を吸熱するために蒸発器における冷媒蒸発温度を外気温以下となるまで低下させる必要がある。そのため、外気温が氷点下（０℃）以下となっている場合のみならず、蒸発器における冷媒蒸発温度が氷点下以下の極低温となった場合にも、室外機を構成する筐体内空間の温度が０℃以下となってしまうこともある。
【０００８】
このように室外機の筐体内空間の温度が０℃以下となってしまうと、特許文献１、２のように筐体内に一部の構成機器を覆うカバーを設けたとしても、雨水や雪解け水の筐体内への侵入を抑制できなければ、筐体内に侵入した雨水等が凍結してしまうおそれがある。例えば、筐体内に雨水が浸入したり、筐体の上面（天板）に積もった積雪が日中に解けて水となって侵入したりした場合に、夕刻以降に外気温が急激に低下した際などに、筐体内に侵入した雨水等が凍結してしまうおそれがある。そして、このような筐体内に侵入した雨水等の凍結は、送風ファンのロックや、送風ファンと凍結した氷（氷柱、つらら）との接触による異音の発生を招く原因となる。
【０００９】
本発明は、上記点に鑑み、ヒートポンプサイクルを構成する構成機器を筐体内に収容して構成されたヒートポンプサイクル用の室外機において、筐体内への水の侵入を抑制すること目的とする。
【課題を解決するための手段】
【００１３】
上記目的を達成するため、請求項１に記載の発明では、ヒートポンプサイクル（１０）を構成する構成機器を筐体（１６）内に収容して構成されたヒートポンプサイクル用の室外機であって、構成機器として、少なくとも低圧冷媒を蒸発させる蒸発器として機能する熱交換器（１４）、および、熱交換器（１４）にて低圧冷媒と熱交換する外気を送風する送風ファン（１５）が含まれており、筐体（１６）の側面には、筐体（１６）の内外を貫通して、送風ファン（１５）によって送風される外気が流通する開口穴（１６ｃ）が形成されており、
開口穴（１６ｃ）は外気の流通を許容する網状部（１８ｂ）を有するカバー（１８）で覆われており、網状部（１８ｂ）は、開口穴（１６ｃ）の外側に外気の流れ方向から見たときに開口穴（１６ｃ）と重合するように設けられており、
開口穴（１６ｃ）の上方側から下方側へ向かって垂れ落ちる水が、開口穴（１６ｃ）を介して、筐体（１６）の内部へ侵入してしまうことを抑制する水侵入抑制部材（３１）を備え、
開口穴（１６ｃ）および網状部（１８ｂ）は円形状であり、水侵入抑制部材（３１）は、カバー（１８）に一体的に成形されて円形状の網状部（１８ｂ）の上方側半分の外周に沿って設けられ、水侵入抑制部材（３１）は、下方側へ向かって突出する凸部を有する形状に形成されていることを特徴とする。
【００１４】
これによれば、水侵入抑制部材（３１）は、下方側へ向かって突出する凸部を有する形状に形成され、この水侵入抑制部材（３１）が、カバー（１８）に一体的に成形されて円形状の網状部（１８ｂ）の上方側半分の外周に沿って設けられているので、開口穴（１６ｃ）の上方側から下方側へ向かって垂れ落ちる水を重力の作用によって網状部（１８ｂ）の上方側半分の外周に位置する水侵入抑制部材（３１）の凸部に集め、この凸部に集められた水をその自重によって開口穴（１６ｃ）の下方側へ導くことができる。
特に、請求項１に記載の発明によれば、下方側へ向かって突出する凸部を有する水侵入抑制部材（３１）を円形状の網状部（１８ｂ）の上方側半分の外周に沿って設けているから、水侵入抑制部材（３１）の凸部に集まった水を網状部（１８ｂ）を伝わせて開口穴（１６ｃ）の下方側へ導くことができる。
従って、開口穴（１６ｃ）の上方側から下方側へ向かって垂れ落ちる水が、開口穴（１６ｃ）を介して筐体（１６）の内部へ侵入してしまうことをより効果的に抑制できる。
【００１５】
なお、請求項１の「送風ファン（１５）によって送風される外気」は、筐体（１６）の外部から内部へ吸い込まれる外気、および、筐体（１６）の内部から外部へ排出される外気の双方を含む意味である。
【００１６】
また、請求項２に記載の発明のように、請求項１に記載のヒートポンプサイクル用の室外機において、水侵入抑制部材（３１）は、具体的には、樹脂にてカバー（１８）に一体的に成形するようにしてもよい。
【００２０】
なお、この欄および特許請求の範囲で記載した各手段の括弧内の符号は、後述する実施形態に記載の具体的手段との対応関係を示す一例である。
【図面の簡単な説明】
【００２１】
【図１】第１実施形態のヒートポンプ式給湯機の全体構成図である。
【図２】第１実施形態のヒートポンプユニットの外観斜視図である。
【図３】第１実施形態のヒートポンプユニットの筐体内における各構成機器の配置を示す模式的な配置図である。
【図４】図２のＡ−Ａ断面図である。
【図５】第１実施形態のヒートポンプユニットおよびブラケット部材の分解斜視図である。
【図６】第２実施形態のヒートポンプユニットの外観斜視図である。
【図７】図６のＢ−Ｂ断面図である。
【図８】第２実施形態の変形例における図６のＢ−Ｂ断面図に対応する図面である。
【図９】他の実施形態における水侵入抑制部材の断面図である。
【発明を実施するための形態】
【００２２】
（第１実施形態）
図１〜図５により、本発明の第１実施形態を説明する。本実施形態のヒートポンプサイクル用の室外機は、ヒートポンプサイクル１０によって給湯水を加熱するヒートポンプ式給湯機１に適用されている。まず、図１を用いて、ヒートポンプ式給湯機１について説明する。なお、図１は、本実施形態のヒートポンプ式給湯機１の全体構成図である。
【００２３】
ヒートポンプ式給湯機１は、加熱対象流体としての給湯水を加熱するためのヒートポンプサイクル１０、および、貯湯タンク２１内の給湯水を循環させる水循環回路２０を備えている。ヒートポンプサイクル１０は、圧縮機１１、水−冷媒熱交換器１２、電気式膨張弁１３、蒸発器１４等を順次配管で接続した蒸気圧縮式の冷凍サイクルである。
【００２４】
圧縮機１１は、ヒートポンプサイクル１０において冷媒を吸入し、圧縮して吐出するものである。本実施形態では、圧縮機１１として、固定容量型圧縮機構を電動モータで駆動する電動圧縮機を採用している。なお、圧縮機１１の回転数（冷媒吐出能力）は、図示しないサイクル側制御装置から出力される制御信号によって制御される。
【００２５】
水−冷媒熱交換器１２は、圧縮機１１から吐出された高温高圧冷媒が通過する冷媒通路１２ａと水循環回路２０を流れる給湯水が通過する水通路１２ｂとを有し、圧縮機１１から吐出された高温高圧冷媒の有する熱を給湯水に放熱させて、給湯水を加熱する加熱用熱交換器である。
【００２６】
電気式膨張弁１３は水−冷媒熱交換器１２の冷媒通路１２ａから流出した高圧冷媒を減圧膨張させる可変絞り機構である。具体的には、電気式膨張弁１３は、絞り開度を変更可能に構成された弁体と、この弁体の絞り開度を変化させるステッピングモータとを有して構成されている。さらに、電気式膨張弁１３の絞り開度は、サイクル側制御装置から出力される制御信号によって制御される。
【００２７】
蒸発器１４は、電気式膨張弁１３にて減圧された低圧冷媒と送風ファン１５により送風された外気（室外空気）とを熱交換させることによって、低圧冷媒を蒸発させて吸熱作用を発揮させる吸熱用の熱交換器である。送風ファン１５は、軸流ファンを電動モータで駆動する電動送風機であり、サイクル側制御装置から出力される制御電圧によって回転数（送風空気量）が制御される。
【００２８】
さらに、上述のヒートポンプサイクル１０の各構成機器１１〜１５等は、図１の一点鎖線に示すように、１つの金属製の筐体１６内に収容されてヒートポンプユニット１７として一体的に構成されて室外に配置されている。つまり、本実施形態では、このヒートポンプユニット１７が特許請求の範囲に記載されたヒートポンプサイクル用の室外機となる。ヒートポンプユニット１７の詳細構成については後述する。
【００２９】
水循環回路２０において、給湯水を貯留する貯湯タンク２１は、耐食性に優れた金属（例えば、ステンレス）で形成され、断熱構造を有し、高温の給湯水を長時間保温することができる温水タンクである。貯湯タンク２１に貯留された給湯水は、貯湯タンク２１の上部に設けられた出湯口から出湯され、貯湯タンク２１内の下部に設けられた給水口からは水道水が給水されるようになっている。
【００３０】
また、水循環回路２０には、給湯水を循環させる水圧送手段としての電動水ポンプ２２が配置されている。電動水ポンプ２２の吐出流量（水圧送能力）は、図示しない貯湯タンク側制御装置から出力される制御信号によって制御される。電動水ポンプ２２の吐出口には、前述の水−冷媒熱交換器１２の水通路１２ｂが接続されている。
【００３１】
従って、貯湯タンク側制御装置が電動水ポンプ２２を作動させると、給湯水は、貯湯タンク２１の下方側に設けられた給湯水出口→電動水ポンプ２２→水−冷媒熱交換器１２の水通路１２ｂ→貯湯タンク２１の上方側の給湯水入口の順に循環する。
【００３２】
さらに、上述の水循環回路２０の構成機器のうち、貯湯タンク２１、電動水ポンプ２２等については、図１の細破線に示すように、１つの金属製の筐体２３内に収容されてタンクユニット２４として一体的に構成され、室外に配置されている。
【００３３】
つまり、タンクユニット２４およびヒートポンプユニット１７は、電動水ポンプ２２吐出側と水−冷媒熱交換器１２の水通路１２ｂ入口側とを接続する配管、および、水−冷媒熱交換器１２の水通路１２ｂ出口側と貯湯タンク２１の給湯水入口とを接続する配管によって接続されることになる。
【００３４】
次に、図２〜図５を用いて本実施形態のヒートポンプユニット１７の詳細構成について説明する。なお、図２は、ヒートポンプユニット１７の外観斜視図であり、図３は、ヒートポンプユニット１７を上方から見た際の筐体１６内における各構成機器の配置を示す模式的な配置図である。また、各図における前後左右上下の各矢印は、ヒートポンプユニット１７を設置した状態における前後左右上下の各方向を示している。
【００３５】
図２に示すように、ヒートポンプユニット１７の筐体１６は、略直方体状に形成されており、上下方向の高さ寸法が７０ｃｍ程度、左右方向の幅寸法が８０ｃｍ程度、前後方向の奥行寸法が３０ｃｍ程度に形成されている。
【００３６】
さらに、筐体１６の前後左右方向に垂直な面の中で、前面、後面および左右方向の一方側（本実施形態では、左側）の側面に筐体１６の内外を貫通して送風ファン１５によって送風される外気が流通する開口穴が設けられている。そして、送風ファン１５が作動すると、図３の破線矢印に示すように外気が流れる。つまり、筐体１６の後面および一方の側面に設けられる後面開口穴１６ａおよび側面開口穴１６ｂは、外気の吸込穴（導入口）として機能し、それぞれ水平方向に延びる長穴を上下方向にスリット状に複数個配置することによって形成されている。
【００３７】
また、本実施形態の蒸発器１４は、ヒートポンプユニット１７を上方から見た際に、後面開口穴１６ａおよび側面開口穴１６ｂに沿って、Ｌ字状に形成されている。これにより、蒸発器１４の内部を流通する低圧冷媒と送風ファン１５を作動させることによって筐体１６内に吸い込まれる外気との熱交換面積を拡大している。
【００３８】
一方、筐体１６の前面に設けられる前面開口穴１６ｃは、外気の吹出穴（排出口）として機能し、ヒートポンプユニット１７を前方から見た際に送風ファン１５の外径に沿う円形（本実施形態では、直径５０ｃｍ程度）に形成されている。本実施形態では、この筐体１６の前方に設けられた前面開口穴１６ｃが、特許請求の範囲に記載された開口穴に対応している。
【００３９】
さらに、筐体１６の前面には、筐体１６の前面から突出した樹脂製のファンガード１８が取り付けられており、ファンガード１８によって前面開口穴１６ｃは覆われている。ファンガード１８のうち、前面開口穴１６ｃと対向する部位には網状部１８ｂを有する開口部１８ａが形成されており、ファンガード１８は、主に、前面開口穴１６ｃから筐体１６の内部に異物が入り込むことを防止する機能、ユーザが回転する送風ファン１５に触れてしまうことを防止する機能を果たすカバーである。開口部１８ａの開口縁部には、筐体１６側に延びる筒状部１８ｃが形成されており、送風ファン１５からの送風がスムーズに導風されるようになっている。
【００４０】
また、本実施形態のヒートポンプユニット１７には、筐体１６前面のうちファンガード１８の開口部１８ａの上方側に、水平方向（左右方向）に延びる板状のブラケット部材３０が配置されている。このブラケット部材３０には、例えば、降雨時や降雪時に、ファンガード１８前面において上方側から下方側へ向かって垂れ落ちる雨水等が、開口部１８ａの開口縁から筒状部１８ｃを介して、筐体１６の内部へ侵入してしまうことを抑制する水侵入抑制部材３１が一体的に形成されている。
【００４１】
ブラケット部材３０の詳細構成については、図４、図５を用いて説明する。なお、図４は、図２のＡ−Ａ断面図であり、より詳細には、Ａ−Ａ断面図のうちブラケット部材３０近傍の拡大断面図であり、図５は、ヒートポンプユニット１７およびブラケット部材３０の分解斜視図である。
【００４２】
図４に示すように、ブラケット部材３０は、筐体１６から離れるに伴って下方側に傾斜する方向に延びる板面を有する板状部３０ａと、ブラケット部材３０を筐体１６に固定する脚部３０ｂとを有している。なお、脚部３０ｂと板状部３０ａの筐体１６側の端部は、溶接あるいは接着などの接合手段により接合されている。
【００４３】
なお、ブラケット部材は、金属で形成してもよいし、樹脂にて形成してもよい。また、ブラケット部材３０と筐体１６との接触部は、パッキン等のシール部材（図示せず）を介在させて、接触部から下方側へ水が流れないようにしておくことが望ましい。
【００４４】
さらに、図４に示すように、板状部３０ａの筐体１６との接触部の反対側の端部、つまり先端部（下方側となる端部）には、板状部３０ａの端部を下方側に向かって折り曲げることによって、水侵入抑制部材３１が形成されている。具体的には、水侵入抑制部材３１は、ヒートポンプユニット１７の側方（左右方向）から見たときに、下方側へ向かって突出する凸部を有する形状に形成されている。また、水侵入抑制部材３１は、板状部３０ａの水平方向の全域に設けられている。
【００４５】
なお、本実施形態では、板状部３０ａの筐体１６との接触部から水侵入抑制部材３１が形成される板状部３０ａの先端部へ至る距離Ｌ（図４参照）を４ｃｍとしている。もちろん、この板状部３０ａ自身も、筐体１６から離れる方向に延びて、雨水等が筐体１６の内部へ侵入してしまうことを抑制する機能を発揮するので、距離Ｌは４ｃｍより大きくしてもよい。
【００４６】
ところが、距離Ｌの過度な拡大はヒートポンプユニット１７の大型化を招く原因となるだけでなく、搬入時や設置時の作業性の悪化を招くため、距離Ｌは、３ｃｍ以上５ｃｍ以下程度とすることが望ましい。
【００４７】
また、本実施形態では、水侵入抑制部材３１の凸部の下方側への突出量Ｐ（図４参照）を、板状部３０ａから下方側に２ｍｍとしている。この値は、板状部３０ａを伝って水侵入抑制部材３１に到達した水が、ファンガード１８側へ向かって移動せず、凸部に集めることができる値として決定されている。
【００４８】
もちろん、水侵入抑制部材３１に到達した水がファンガード１８側へ向かって移動することを抑制するためには、突出量Ｐを２ｍｍより大きくしてもよい。ところが、突出量Ｐの過度な拡大は前面開口穴１６ｃを流通する外気の通風抵抗となるおそれがある。従って、突出量Ｐは、１ｍｍ以上５ｍｍ以下程度とすることが望ましい。
【００４９】
脚部３０ｂには、その表裏を貫通する貫通穴３０ｃが設けられており、この貫通穴３０ｃとファンガード１８に設けられた貫通穴を貫通するネジ３２によって筐体１６に取り付けられる。つまり、ブラケット部材３０およびファンガード１８は、いわゆる共締めによって、筐体１６に固定されている。
【００５０】
なお、ブラケット部材３０とファンガード１８との間には樹脂製のスペーサ３３が配置されており、このスペーサ３３によって、ブラケット部材３０およびファンガード１８の前後方向の間隔が規制されている。また、スペーサ３３を金属にて形成し、ブラケット部材３０に溶接等の接合手段によって接合しておいてもよい。
【００５１】
次に、上記構成における本実施形態の作動について説明する。本実施形態のヒートポンプ式給湯機１は、図示しない操作パネルに設けられた作動スイッチが投入（ＯＮ）されると、サイクル側制御装置がヒートポンプサイクル１０の各構成機器１１、１３、１５を作動させ、貯湯タンク側制御装置が電動水ポンプ２２を作動させる。
【００５２】
これにより、圧縮機１１から吐出された高温高圧冷媒が、水−冷媒熱交換器１２の冷媒通路１２ａへ流入し、電動水ポンプ２２によって圧送されて水−冷媒熱交換器１２の水通路１２ｂへ流入した給湯水と熱交換する。これにより、給湯水が加熱される。水−冷媒熱交換器１２にて加熱された給湯水は、貯湯タンク２１の上方側に貯湯される。
【００５３】
一方、水−冷媒熱交換器１２の冷媒通路１２ａから流出した冷媒は、電気式膨張弁１３にて減圧膨張されて、蒸発器１４へ流入する。蒸発器１４へ流入した冷媒は、送風ファン１５から送風された外気と熱交換して外気から吸熱する。蒸発器１４から流出した冷媒は、再び圧縮機１１へ吸入され圧縮される。
【００５４】
次に、本実施形態のヒートポンプユニット１７の優れた効果について説明する。本実施形態のヒートポンプ式給湯機１のように、外気から吸熱した熱を給湯水に放熱することによって、給湯水を加熱する冷凍サイクル装置では、蒸発器１４における冷媒蒸発温度を少なくとも外気温以下まで低下させる必要がある。
【００５５】
そのため、外気温が氷点下（０℃）以下となっている場合のみならず、蒸発器１４における冷媒蒸発温度が氷点下以下の極低温となった場合にも、ヒートポンプユニット１７の筐体１６内空間の温度が０℃以下となってしまうことがある。
【００５６】
この際、室外に配置されるヒートポンプユニット１７の筐体１６内に雨水や雪解け水等の水分が侵入していると、この水分が凍結してしまうおそれがある。例えば、筐体内に雨水が浸入したり、筐体の上面（天板）に積もった積雪が日中に解けて水となって侵入したりした場合に、夕刻以降に外気温が急激に低下した際などに、筐体内に侵入した雨水等が凍結してしまうおそれがある。
【００５７】
さらに、このような筐体１６内に侵入した雨水や雪解け水等の凍結は、送風ファンのロックや、送風ファンと凍結した氷（氷柱、つらら）との接触による異音の発生を招く原因となる。
【００５８】
これに対して、本実施形態では、開口部１８ａの上方側に板状のブラケット部材３０を設け、このブラケット部材３０に鉛直方向下方側へ向かって突出する凸部を有する形状に形成された水侵入抑制部材３１を形成しているので、筐体１６の上面からブラケット部材３０の上方に垂れ落ちる雨水や雪解け水等の水を、重力の作用によって下方側に向かって突出する凸部によって集め、その自重によって滴下させることができる。
【００５９】
その結果、筐体１６の上面から下方に向って垂れ落ちる雨水や雪解け水等の水が、ファンガード１８の前面から開口部１８ａの開口縁、および筒状部１８ｃを介して筐体１６の内部へ侵入してしまうことを、効果的に抑制できる。延いては、筐体１６内に凍結が発生してしまうことを抑制し、送風ファンのロックや、送風ファンと凍結した氷（氷柱、つらら）との接触による異音の発生を抑制できる。
【００６０】
特に、ブラケット部材３０の板状部３０ａの板面が筐体１６から離れるに伴って下方側に傾斜する方向に延びており、その最下端側に水侵入抑制部材３１が配置されているので、筐体１６の上方から垂れ落ちる水を開口部１８ａから離れた位置に集めることができる。
【００６１】
（第２実施形態）
本実施形態では、図６の外観斜視図に示すように、ブラケット部材３０を廃止して、水侵入抑制部材３１をファンガード１８に配置した例を説明する。なお、図６では、第１実施形態と同一もしくは均等部分には同一の符号を付している。このことは、以下の図面でも同様である。
【００６２】
具体的には、ファンガード１８には、前面開口穴１６ｃの外側に外気の流通を許容する網状部１８ｂが形成されている。この網状部１８ｂは、外気の流れ方向から見たときに、前面開口穴１６ｃと重合するように略円形状の範囲に設けられている。そこで、本実施形態では、図７に示すように、網状部１８ｂの外周に沿って水侵入抑制部材３１を配置している。
【００６３】
従って、本実施形態の水侵入抑制部材３１は、ファンガード１８のうち、前面開口穴１６ｃの開口縁部に沿って配置されている。なお、図７は、図６のＢ−Ｂ断面図であり、より詳細には、Ｂ−Ｂ断面図のうちファンガード３０近傍の拡大断面図である。また、図７には、送風ファン１５から送風される外気を筐体１６の外側へ導く外気通路を形成するシュラウド部１６ｄについても図示している。
【００６４】
さらに、本実施形態の水侵入抑制部材３１は、樹脂にてファンガード１８に一体的に成形されており、その断面形状は、鉛直方向下方側へ向かって突出する略三角形状の凸部を有する形状になっている。また、水侵入抑制部材３１は図６の太破線の領域に示すように、前面開口穴１６ｃの円形状のうち上方側半分の半円弧状の範囲に設けられている。
【００６５】
なお、この太破線は、水侵入抑制部材３１が設けられる位置を明示するために記載したもので、実際のヒートポンプユニット１７において、水侵入抑制部材３１が断続的に設けられていることを意味するものではない。
【００６６】
より具体的には、水侵入抑制部材３１の断面形状は、図７に示すように直角二等辺三角状に形成され、短辺のうちの１つが水平方向（前後方向）と平行に延びて、長辺が筐体１６側から離れる方向に向かって前面開口穴１６ｃの内径側に向かって傾斜する方向に形成されている。また、水侵入抑制部材３１の突出量、その他の構成およびヒートポンプ式給湯機１の作動は、第１実施形態と同様である。
【００６７】
本実施形態の水侵入抑制部材３１では、前面開口穴１６ｃの上方側から下方側へ向かって垂れ落ちる水を水侵入抑制部材３１に集め、ファンガード１８の網状部１８ｂを伝わせて前面開口穴１６ｃの下方側へ導くことができる。従って、前面開口穴１６ｃの上方側から下方側へ向かって垂れ落ちる水が、前面開口穴１６ｃを介して筐体１６の内部へ侵入してしまうこと、効果的に抑制できる。
【００６８】
本実施形態では、ファンガード１８の網状部１８ｂの内側（筐体１６側）に水侵入抑制部材３１を配置しているが、図８に示すように、網状部１８ｂの外側に配置してもよい。なお、図８は、本実施形態の変形例を示す図面であって、上述の図７に対応する図面である。また、シュラウド部１６ｄを筐体１６の内側から外側へ向かって先細る中空円錐台形状に形成してもよい。
【００６９】
（他の実施形態）
本発明は上述の実施形態に限定されることなく、本発明の趣旨を逸脱しない範囲内で、以下のように種々変形可能である。
【００７０】
（１）上述の実施形態では、ブラケット部材３０の板状部３０ａの板面が筐体１６から離れるに伴って下方側に傾斜している例を説明したが、板状部３０ａの板面は水平方向に延びていてもよい。
【００７１】
（２）上述の実施形態では、ヒートポンプサイクル用の室外機として、ヒートポンプ式給湯機１に適用されるヒートポンプサイクル用の室外機として筐体１６内に蒸発器１４と送風ファン１５を収容したヒートポンプユニット１７を説明したが、本発明のヒートポンプサイクル用の室外機はこれに限定されない。
【００７２】
例えば、空気から吸熱した熱を室内送風空気に放熱して、室内送風空気を加熱する暖房装置に適用してもよい。さらに、筐体内に配置される熱交換器が、ヒートポンプサイクルの冷媒流路を切り替えることによって、圧縮機吐出冷媒を放熱させる放熱器として機能する場合と低圧冷媒を蒸発させる蒸発器として機能する場合とを切替可能に構成された冷暖房装置等に適用してもよい。
【００７３】
（３）上述の実施形態では、前面開口穴１６ｃおよびファンガード１８の開口部１８ａを外気の吹出穴（排出口）として用いた例を説明したが、もちろん前面開口穴１６ｃおよび開口部１８ａを外気の吸込穴（導入口）として機能させてもよい。つまり、筐体１６内部における外気の流れが上述の実施形態と逆であってもよい。
【００７４】
（４）上述の第１実施形態では、板状部３０ａの筐体１６側と反対側の端部を下方側に折り返すように折り曲げることによって水侵入抑制部材３１が形成した例を説明したが、板状部３０ａの折り曲げ方はこれに限定されない。例えば、図９（ａ）に示すように、その端部が下方側に突き出すように折り曲げて形成してもよいし、図９（ｂ）に示すように、その端部を円弧状に折り曲げて形成してもよい。
【００７５】
また、上述の第２実施形態では、断面直角二等辺三角状に形成された水侵入抑制部材３１について説明したが、もちろん、水侵入抑制部材３１の断面形状は、これに限定されない。下方側に突出する形状であれば、断面が他の三角状、台形状、円弧状に形成されていてもよい。
【００７６】
また、水侵入抑制部材３１は、ブラケット部材３０あるいはファンガード１８と一体的に構成されている必要はなく、ブラケット部材３０あるいはファンガード１８に対して別部材で構成したものを、溶接、接着などの接合手段によって接合してもよい。
【００７７】
（５）上述した第１、第２実施形態では、筐体１６の前面開口穴１６ｃを覆うように、網状部１８ｂが形成されたファンガード１８が取り付けられた例を説明したが、筐体の１６の前面に網状部のみが突出して設けられた室外機に本発明を適用してもよい。
【００７８】
（６）上述した第１、第２実施形態では、前面開口穴１６ｃおよびファンガード１８の開口部１８ａの上方側に水侵入抑制部材３１を設けた例について述べたが、後面開口穴１６ａおよび側面開口穴１６ｂに水侵入抑制部材３１を設けてもよい。
【符号の説明】
【００７９】
１０    ヒートポンプサイクル
１４    蒸発器
１５    送風ファン
１６    筐体
１６ｃ  前面開口穴
１７    ヒートポンプユニット
１８    ファンガード
３０    ブラケット部材
３１    水侵入抑制部材
【図１】
0005594076.tif 000002
【図２】
0005594076.tif 000003
【図３】
0005594076.tif 000004
【図４】
0005594076.tif 000005
【図５】
0005594076.tif 000006
【図６】
0005594076.tif 000007
【図７】
0005594076.tif 000008
【図８】
0005594076.tif 000009
【図９】
0005594076.tif 000010